(57)【要約】【課題】シンチレーションのさらなる低減化及び高画質化を図った照明装置及びプロジェクタを提供すること。【解決手段】レーザ光源２１Ａと、レーザ光源２１Ａから射出した光を導光する導光部材２２と、導光部材２２から射出した光をライトバルブ１６Ａの画像表示領域に入射させる導光板２３と、導光部材２２から射出した光の導光板２３への入射角を時間的に変化させるアクチュエータ２４とを備える。【選択図】図３
2008158190.tif 000002
【特許請求の範囲】
【請求項１】
光源と、
該光源から射出した光を導光する第１導光手段と、
該第１導光手段から射出した光を被照射部材の被照射面に入射させる第２導光手段と、
前記第１導光手段から射出した光の前記第２導光手段への入射角を時間的に変化させる駆動手段とを備えることを特徴とする照明装置。
【請求項２】
前記駆動手段が、前記第１導光手段を駆動することを特徴とする請求項１に記載の照明装置。
【請求項３】
前記第１導光手段が、可撓性を有する導光部材を有し、
前記駆動手段が、前記導光部材の射出端部を駆動することを特徴とする請求項２に記載の照明装置。
【請求項４】
前記第１導光手段が、前記光源から射出した光を反射させる第１反射鏡を有すると共に、
前記第２導光手段が、前記第１反射鏡による反射光を前記被照射部材に向けて反射させる第２反射鏡を有し、
前記駆動手段が、前記第１反射鏡による反射光を前記第２反射鏡の反射面上で走査させることを特徴とする請求項２に記載の照明装置。
【請求項５】
前記光源から射出する光量が所定値を超えたときに前記被照射面に入射する光を遮断する光ヒューズを備えることを特徴とする請求項１から４のいずれか１項に記載の照明装置。
【請求項６】
請求項１から５のいずれか１項に記載の照明装置と、
該照明装置から射出した光を画像信号に応じて変調する光変調手段とを備え、
該光変調手段により変調された光を被投射部材に投射することを特徴とするプロジェクタ。
【請求項７】
前記照明装置を複数有し、
前記複数の光源が、同一の冷却ユニットに接続されていることを特徴とする請求項６に記載のプロジェクタ。
【発明の詳細な説明】
【技術分野】
【０００１】
本発明は、照明装置及びプロジェクタに関する。
【背景技術】
【０００２】
近年、プロジェクタが急速に普及してきている。主にビジネスプレゼンテーション用途で用いられてきたフロント投射型プロジェクタのほか、最近ではリアプロジェクタが、大型テレビ（ＰＴＶ：プロジェクションテレビ）の一形態として認知度を高めてきている。プロジェクション方式の最大の利点は、液晶テレビ、ＰＤＰなどの直視型ディスプレイに比べて低価格で同画面サイズの商品を供給できることである。しかし、直視型においても低価格化が進展しており、プロジェクタ表示装置にもより高い画質性能が求められつつある。
【０００３】
プロジェクタは、アークランプなどの光源から射出した光を液晶ライトバルブなどの光変調手段に照射し、光変調手段により変調された投射光をスクリーンに投射することで画像をスクリーンに表示するものである。このとき、スクリーンには、画像が表示されるだけでなく、スクリーン全面がぎらついて見える。これは、光線の干渉に伴う輝度ムラによるもので、スペックルノイズ、いわゆるシンチレーションと呼ばれる。
【０００４】
ここで、シンチレーションの発生原理について簡単に説明する。図１０に示すように、光源１０１から照射された光が液晶ライトバルブ１０２を透過して投射レンズ１０３によりスクリーン１０４へと投射される。スクリーン１０４に投射された投射光は、スクリーン１０４の散乱構造により回折し、それらが二次波源のように振舞うことによって拡散される。二次波源による２つの球面波が、互いの位相関係に応じて光の強め合いや弱め合いを起こすことによって、スクリーン１０４と鑑賞者との間に明暗の縞模様（干渉縞）となって現れる。この干渉縞が発生する像面１０５に鑑賞者の焦点が合ったとき、鑑賞者はスクリーンをぎらつかせるシンチレーションとして干渉縞を認識する。
シンチレーションは、スクリーン面に結像された画像を見ようとする鑑賞者にとって、スクリーン面と鑑賞者との間にあたかもベールやレース布、クモの巣などを張ったかのような不快感を与える。また、鑑賞者はスクリーン上の画像とシンチレーションとの２重の像を見ることになり、それぞれに視点を合わせようとするため、大きな疲労を招く。したがって、このシンチレーションは鑑賞者に大きなストレスを与えてしまう。
【０００５】
近年、従来の高圧水銀ランプに替わる新しい光源の開発が進められており、特にレーザ光源は、エネルギー効率や色再現性、長寿命、瞬時点灯などの点で優れている。しかし、レーザ光源によるスクリーン上の投射光は、隣接する領域の光線の位相がそろっていることから干渉性が非常に高いものとなる。また、レーザ光源のコヒーレント長は、数十メートルにも及ぶことがあるため、同一の光源を分割して再度合成すると、コヒーレント長より短い光路差を経て合成された光が強い干渉を引き起こすことになり、高圧水銀ランプを用いた場合よりもはっきりとしたシンチレーションが出現してしまう。
【０００６】
そこで、拡散層、透明層（レンチキュラーレンズ）及び拡散層の３層構造からなって拡散性を最適化したスクリーンが提案されている（例えば、特許文献１参照）。ここでは、散乱層を複雑化することにより干渉斑のランダム性を高めることで、シンチレーションの低減を図っている。
また、光や電場、磁場、熱、応力などを光散乱層に付与することで、光拡散層に含有されている光散乱体の形状、相対的な位置関係や屈折率を時間的に変化させるというスクリーンが提案されている（例えば、特許文献２参照）。ここでは、光拡散層による散乱波の散乱分布や位相を時間的に変化させることによってシンチレーションの発生防止を図っている。
【特許文献１】特開平１１−０３８５１２号公報
【特許文献２】特開２００１−１００３１６号公報
【発明の開示】
【発明が解決しようとする課題】
【０００７】
しかしながら、上記記載のスクリーンにおいても、以下の課題が残されている。すなわち、前者のスクリーンでは、最終散乱面の散乱状態が固定されているので、散乱面上の各点から発した光線間の干渉がなすスクリーンと鑑賞者の間における空間の位相分布も固定されており、干渉斑も固定した像として視認されてしまう。そのため、完全に干渉斑が消えるということにはならず、特に、干渉性の高いレーザ光源を具備するプロジェクタではほとんど効果を得ることができない。また、このような高散乱化による構成では、画像ボケを発生することがあるため、高画質化が困難である。
また、後者のスクリーンでは、光散乱体の形状や相対的な位置関係、屈折率などを変化させるに多大な駆動エネルギーを必要とし、振動や音、不要電磁波、排熱となって快適な鑑賞を阻害することがある。そして、散乱層が焦点方向に移動してしまうような構成では、画像の大きさが変化してしまう。このため、水平方向における画像の輪郭線の位置も変わってしまい、画像ボケが生じる原因となる。
【０００８】
本発明は、上記従来の問題に鑑みてなされたもので、シンチレーションのさらなる低減化及び高画質化を図った照明装置及びプロジェクタを提供することを目的とする。
【課題を解決するための手段】
【０００９】
本発明は、前記課題を解決するために以下の構成を採用した。すなわち、本発明にかかる照明装置は、光源と、該光源から射出した光を導光する第１導光手段と、該第１導光手段から射出した光を被照射部材の被照射面に入射させる第２導光手段と、前記第１導光手段から射出した光の前記第２導光手段への入射角を時間的に変化させる駆動手段とを備えることを特徴とする。
【００１０】
この発明では、例えばスクリーンなどの被投射部材への投射光の入射角を時間的に変化させることで、被投射部材に形成される干渉縞が時間的に変化する。これにより、シンチレーションのさらなる低減及び表示画質の向上が図れる。
すなわち、第１導光手段から射出した光の第２導光手段への入射角を時間的に変化させると、第２導光手段から射出した光の被照射面に対する入射角がこれに合わせて時間的に変化する。そして、被照射部材から射出した光の被投射部材に対する入射角が、被照射部材への入射角に応じて時間的に変化することとなる。そのため、被投射部材から射出する光の散乱状態が入射角に応じて時間的にさまざまに変化し、被投射部材で視認される干渉縞のパターンが変化する。これにより、干渉縞のパターンは複雑化する。そして、被投射部材から射出した光が鑑賞者の眼の残像特性によって時間積分されて平均化するので、干渉縞が視認されなくなる。これは、人間の眼に残像により画像がある一定時間保持された状態となることで画像が均一に表示されて見えるという特性に起因している。したがって、シンチレーションがさらに低減し、表示される画質が向上する。
【００１１】
また、本発明にかかる照明装置は、前記駆動手段が、前記第１導光手段を駆動することが好ましい。
この発明では、第２導光手段よりも光路上で光源に近接して配置されている第１導光手段を駆動することにより第２導光手段への光の入射角を変化させるので、第２導光手段を時間的に駆動することと比較して、変化量を小さくできる。これにより、照明装置の小型化が図れると共に、被照射部材に対する入射角を十分な速度で変化させることができる。
【００１２】
また、本発明にかかる照明装置は、前記第１導光手段が、可撓性を有する導光部材を有し、前記駆動手段が、前記導光部材の射出端部を駆動することとしてもよい。
この発明では、駆動手段が導光部材の射出端部を駆動することで、導光部材から射出する光の向きを時間的に変化させ、第１導光手段から射出した光の第２導光手段に対する入射角を時間的に変化させる。また、駆動手段が導光部材を駆動することで、導光部材中を導光する光のプロファイルを保持したまま入射角を時間的に変化させることができる。
【００１３】
また、本発明にかかる照明装置は、前記第１導光手段が、前記光源から射出した光を反射させる第１反射鏡を有すると共に、前記第２導光手段が、前記第１反射鏡による反射光を前記被照射部材に向けて反射させる第２反射鏡を有し、前記駆動手段が、前記第１反射鏡による反射光を前記第２反射鏡の反射面上で走査させることとしてもよい。
この発明では、第１反射鏡による反射光を第２反射鏡の反射面上で走査させることで、第１反射鏡から射出する光の向きを時間的に変化させ、第１導光手段から射出した光の第２導光手段に対する入射角を時間的に変化させる。
【００１４】
また、本発明にかかる照明装置は、前記光源から射出する光量が所定値を超えたときに前記被照射面に入射する光を遮断する光ヒューズを備えることが好ましい。
この発明では、過剰な光量の光が入射することによって他の光学部材などに影響が発生することを防止できる。
【００１５】
また、本発明にかかるプロジェクタは、上記記載の照明装置と、該照明装置から射出した光を画像信号に応じて変調する光変調手段とを備え、該光変調手段により変調された光を被投射部材に投射することを特徴とする。
この発明では、上述のように、被投射部材への投射光の入射角が時間的に変化するので、干渉縞が時間的に変化する。これにより、シンチレーションのさらなる低減及び表示画質の向上が図れる。
【００１６】
また、本発明にかかるプロジェクタは、前記照明装置を複数有し、前記複数の光源が、同一の冷却ユニットに接続されていることが好ましい。
この発明では、複数の光源を同一の冷却ユニットに接続することで、光源の冷却を一括して行え、装置の小型化が図れる。
【発明を実施するための最良の形態】
【００１７】
［第１の実施形態］
以下、本発明における照明装置及びプロジェクタの第１の実施形態を、図面に基づいて説明する。ここで、図１はリアプロジェクタを示す（ａ）が概略斜視図、（ｂ）が側断面図、図２は投射光学系を示す概略構成図、図３は照明装置を示す概略斜視図である。
【００１８】
本実施形態におけるリアプロジェクタ（プロジェクタ）１は、図１に示すように、筐体２と、筐体２の前面に設けられて画像が投影されるスクリーン（被投射部材）３とを備えており、筐体２の下方に設けられたフロントパネル４の左右側にスピーカからの音声を出力する開口部５が形成されている。
また、リアプロジェクタ１は、筐体２内に設けられた投射光学系１０と、投射光学系１０から射出した光を反射してスクリーン３に拡大投影する反射ミラー１１、１２とを備えている。
【００１９】
投射光学系１０は、図２に示すように、赤色光を射出する赤色光照明装置１５Ａと、緑色光を射出する緑色光照明装置１５Ｂと、青色光を射出する青色光照明装置１５Ｃと、各照明装置１５Ａ〜１５Ｃから照射されるレーザ光を変調するライトバルブ（光変調手段，被照射部材）１６Ａ〜１６Ｃと、ダイクロイックプリズム１７と、投射レンズ１８とを備えている。なお、図２では、投射レンズ１８とスクリーン３との間に配置される反射ミラー１１、１２の図示を省略している。
【００２０】
まず、赤色光照明装置１５Ａについて説明する。なお、本実施形態では、各照明装置１５Ａ〜１５Ｃの構成が同様であるため、赤色光照明装置１５Ａについてのみ説明し、緑色光照明装置１５Ｂ及び青色光照明装置１５Ｃの説明を省略する。
赤色光照明装置１５Ａは、図２及び図３に示すように、レーザ光源（光源）２１Ａと、レーザ光源２１Ａから射出した光を導光する導光部材（第１導光手段）２２と、導光部材２２から射出した光を導光してライトバルブ１６Ａに向けて射出する導光板（第２導光手段）２３と、導光部材２２を振動させるアクチュエータ（駆動手段）２４とを備えている。
【００２１】
レーザ光源２１Ａは、内部にアレイ状に配置された複数のレーザ素子（図示略）を備えており、その射出端から赤色レーザ光を導光部材２２に向けて射出する構成となっている。また、レーザ光源２１Ａは、これを冷却する例えばヒートシンクで構成された冷却ユニット２５に接続されている。なお、レーザ光源２１Ａは、１つのレーザ素子のみを備える構成としてもよい。
【００２２】
導光部材２２は、光ファイバ３１と、光ファイバ３１の先端に設けられたレンズ３２とを備えている。
光ファイバ３１は、可撓性を有しており、基端がレーザ光源２１Ａの射出端に接続されている。そして、光ファイバ３１は、レーザ光源２１Ａから射出する赤色レーザ光を導光し、先端（射出端）から射出する構成となっている。また、光ファイバ３１には、光ファイバ３１内を導光する光量が所定値を超えた時に光ファイバ３１内の導光を遮断する光ヒューズ３３が設けられている。この光ヒューズ３３は、所定値以下の光量に対して透過性を有すると共に、所定値を超える光量に対して非透過性を有する材料によって構成されている。なお、光ファイバ３１は、レーザ光源２１Ａに対してコネクタ（図示略）などにより着脱自在に接続されている。
レンズ３２は、光ファイバ３１の先端から射出した赤色レーザ光を拡大して導光板２３に向けて射出する構成となっている。
【００２３】
導光板２３は、ほぼ板状の透光性材料で構成されており、その一面がライトバルブ１６Ａに臨むと共に一側面がレンズ３２の先端面に臨んでいる。また、導光板２３の他面は、凹凸面となっている（図３に示す）。したがって、導光板２３は、レンズ３２から射出した赤色レーザ光をこの凹凸面で反射させて一面からライトバルブ１６Ａに向けて射出し、ライトバルブ１６Ａの画像表示領域（被照射面）の全面を均一に照射する構成となっている。
【００２４】
アクチュエータ２４は、例えば電圧の印加によって伸縮するまたは歪むピエゾ素子を主体としたピエゾアクチュエータで構成されている。ここで、ピエゾ素子は、変位量を増大させるために、薄膜状のピエゾ膜と電極とを交互に積層した構成となっている。そして、アクチュエータ２４は、光ファイバ３１の先端部に設けられており、光ファイバ３１の先端部をレンズ３２と共に導光板２３の厚さ方向で振動させる構成となっている。したがって、レンズ３２から射出するレーザ光の導光板２３に対する入射角は、アクチュエータ２４により時間的に変化することになる。ここで、アクチュエータ２４による振動周波数が例えば６０Ｈｚとなっており、アクチュエータ２４による入射角の変化幅が例えば±２０°となっている。
なお、アクチュエータ２４は、電圧の印加によって伸縮するまたは歪むピエゾ素子を用いたアクチュエータに限らず、光ファイバ３１の先端部を振動させることができれば、電磁力によって伸縮などする電磁アクチュエータや静電力によって伸縮する静電アクチュエータなど、他のアクチュエータを用いてもよい。
【００２５】
なお、上述したように、緑色光照明装置１５Ｂ及び青色光照明装置１５Ｃは、赤色光照明装置１５Ａと同様の構成であるため、緑色レーザ光を射出するレーザ光源（光源）２１Ｂや青色レーザ光を射出するレーザ光源（光源）２１Ｃをそれぞれ備えている。そして、これらレーザ光源２１Ａ〜２１Ｃは、近接して配置されており、同一の冷却ユニット２５に接続されている。
【００２６】
各ライトバルブ１６Ａ〜１６Ｃは、図２に示すように、例えば液晶装置で構成されており、それぞれが画像表示領域に供給された画像信号に基づいて各照明装置１５Ａ〜１５Ｃから射出したレーザ光を変調する構成となっている。また、各ライトバルブ１６Ａ〜１６Ｃの入射側及び射出側には、それぞれ偏光板（図示略）が設けられている。
ダイクロイックプリズム１７は、４つの直角プリズムを貼り合わせることによって構成されており、その界面には赤色光を反射する誘電体多層膜１７ａと青色光を反射する誘電体多層膜１７ｂとがＸ字状に形成されている。
投射レンズ１８は、ダイクロイックプリズム１７によって合成されたカラー画像を拡大してスクリーン３上に投影する構成となっている。
【００２７】
以上のような構成のリアプロジェクタ１では、各照明装置１５Ａ〜１５Ｃから射出した赤色レーザ光、緑色レーザ光及び青色レーザ光がライトバルブ１６Ａ〜１６Ｃにそれぞれ入射する。そして、ライトバルブ１６Ａ〜１６Ｃに入射した各レーザ光は、各ライトバルブ１６Ａ〜１６Ｃに供給された画像信号に基づいて変調され、ダイクロイックプリズム１７に入射する。その後、ダイクロイックプリズム１７に入射した各レーザ光は、誘電体多層膜１７ａ、１７ｂにより合成され、投射レンズ１８及び反射ミラー１１、１２を経てスクリーン３に投射される。
【００２８】
ここで、赤色光照明装置１５Ａでは、レーザ光源２１Ａから射出した赤色レーザ光が光ファイバ３１内を導光して光ファイバ３１の先端面からレンズ３２を経て導光板２３の側面に向けて射出する。そして、導光板２３内を導光した赤色レーザ光が導光板２３の他面の凹凸面によって反射し、導光板２３の一面からライトバルブ１６Ａに向けて射出する。
このとき、光ファイバ３１の先端部に設けられたアクチュエータ２４は、印加される電気信号に応じて、例えば６０Ｈｚの周波数で、レンズ３２から導光板２３の側面に入射する光の入射角の変化量が例えば±２０°となるように光ファイバ３１の先端部を振動させる。これにより、レンズ３２から射出する赤色レーザ光の射出方向及び導光板２３の側面に対する入射角が周期的に変化する。そのため、導光板２３の一面から射出する赤色レーザ光のライトバルブ１６Ａに対する入射角が、図４（ａ）、（ｂ）に示すように、周期的に変化する。したがって、赤色レーザ光のスクリーン３に対する入射角が時間的に変化する。
【００２９】
このとき、レンズ３２から導光板２３の側面に入射する光の入射角の変化量を例えば±２０°としているので、スクリーン３への投射光の入射角の変化量が±５°以上となる。また、赤色レーザ光の入射位置が導光板２３のいずれであっても、導光板２３から射出する赤色レーザ光は、ライトバルブ１６Ａの画像表示領域の全面を均一に照射している。
なお、緑色光照明装置１５Ｂ及び青色光照明装置１５Ｃにおいても、赤色光照明装置１５Ａと同様に、緑色レーザ光及び青色レーザ光のスクリーン３に対する入射角を時間的に変化させる。
【００３０】
スクリーン３に発生する干渉縞のパターンは、スクリーン３への投射光の入射角に応じて変化する。そして、投射光の入射角は、各照明装置１５Ａ〜１５Ｃに設けられたアクチュエータ２４により例えば６０Ｈｚの周波数で周期的に変化している。このため、スクリーン３から射出する光の散乱状態がスクリーン３への入射角に応じてさまざまに変化し、スクリーン３で視認される干渉縞のパターンが時間的に変化して複雑化する。ここで、人間の眼には、残像により画像がある一定時間保持された状態となることで画像が均一に表示された状態で視認されるという特性がある。これにより、スクリーン３に形成される干渉縞のパターンが、鑑賞者の眼の残像特性によって時間積分されて平均化する。このとき、スクリーン３への投射光の入射角の変化量が±５°以上となっているので、干渉縞のパターンが十分に複雑化される。したがって、時間積分によって平均化された干渉縞のパターンが、鑑賞者によって視認されなくなる。
【００３１】
以上のように、本実施形態における照明装置１５Ａ〜１５Ｃ及びリアプロジェクタ１によれば、アクチュエータ２４によりスクリーン３に入射する光の入射角が周期的に変化するので、スクリーン３に形成される干渉縞が時間的に変化する。これにより、シンチレーションのさらなる低減及び表示画質の向上が図れる。
また、光ファイバ３１をアクチュエータ２４により振動させているので、導光板２３を振動させることによって各ライトバルブ１６Ａ〜１６Ｃへの入射角を時間的に変化させることと比較して、振動による移動量を抑制できる。これにより、入射角を十分な速度で変化させることができると共に、照明装置１５Ａ〜１５Ｃの小型化が図れる。
そして、光ファイバ３１に光ヒューズ３３を設けることで、ライトバルブ１６Ａ〜１６Ｃなどの光学部材に過剰な光量のレーザ光が入射することを防止でき、照明装置１５Ａ〜１５Ｃの信頼性が向上する。
さらに、各照明装置１５Ａ〜１５Ｃを構成するレーザ光源２１Ａ〜２１Ｃを同一の冷却ユニット２５に接続することで、これらレーザ光源２１Ａ〜２１Ｃを一体的に冷却でき、リアプロジェクタ１の小型化が図れる。
【００３２】
［第２の実施形態］
次に、本発明における照明装置及びプロジェクタの第２の実施形態を、図面に基づいて説明する。ここで、図５は照明装置を示す概略構成図、図６は照明装置の概略斜視図である。なお、本実施形態では、第１の実施形態と照明装置の構成が異なるため、この点を中心に説明すると共に、上記実施形態で説明した構成要素には同一符号を付し、その説明を省略する。また、本実施形態においても、赤色光照明装置、緑色光照明装置及び青色光照明装置の構成が同様であるため、赤色光照明装置のみについて説明し、緑色光照明装置及び青色光照明装置の説明を省略する。
【００３３】
本実施形態における赤色光照明装置５０は、図５及び図６に示すように、光ファイバ３１から射出した光をライトバルブ１６Ａに向けて均一に照射するフィールドレンズ（第２導光部材）５１を備えている。
フィールドレンズ５１は、レンズ３２から射出した光をライトバルブ１６Ａの画像表示領域の全面を照射させる構成となっている。
アクチュエータ２４は、レンズ３２の先端部をフィールドレンズ５１の曲面に沿う方向で例えば６０Ｈｚの周波数で振動させる構成となっている。したがって、レンズ３２から射出するレーザ光のフィールドレンズ５１に対する入射角は、フィールドレンズ５１の周面に沿って走査するようにアクチュエータ２４により周期的に変化する。
【００３４】
以上のような赤色光照明装置５０では、上述と同様に、レーザ光源２１Ａから射出した赤色レーザ光がレンズ３２の先端面からフィールドレンズ５１に向けて射出する。そして、フィールドレンズ５１から射出した赤色レーザ光は、ライトバルブ１６Ａの画像表示領域の全面を均一に照射する。
このとき、レンズ３２から射出した赤色レーザ光は、アクチュエータ２４によりフィールドレンズ５１の周面を周期的に走査する。これにより、フィールドレンズ５１から射出する赤色レーザ光のライトバルブ１６Ａに対する入射角が、図７に示すように、時間的に変化する。したがって、赤色レーザ光のスクリーン３に対する入射角が周期的に変化する。ここで、赤色レーザ光の入射位置がフィールドレンズ５１のいずれにおいても、フィールドレンズ５１から射出する赤色レーザ光は、ライトバルブ１６Ａの画像表示領域の全面を均一に照射する。
【００３５】
以上のように、本実施形態における赤色光照明装置５０及びこれを備えるリアプロジェクタにおいても、上述した第１の実施形態と同様の作用、効果を奏する。
【００３６】
［第３の実施形態］
次に、本発明における照明装置及びプロジェクタの第３の実施形態を、図面に基づいて説明する。ここで、図８は照明装置を示す概略構成図、図９は照明装置を示す概略斜視図である。なお、本実施形態では、第１の実施形態と照明装置の構成が異なるため、この点を中心に説明すると共に、上記実施形態で説明した構成要素には同一符号を付し、その説明を省略する。また、本実施形態においても、赤色光照明装置、緑色光照明装置及び青色光照明装置の構成が同様であるため、赤色光照明装置のみについて説明し、緑色光照明装置及び青色光照明装置の説明を省略する。
【００３７】
本実施形態における赤色光照明装置６０は、図８及び図９に示すように、レーザ光源６１から射出した光を反射する走査ミラー（第１導光手段）６２と、走査ミラー６２からの反射光をライトバルブ１６Ａに向けて反射させる光路補正ミラー（第２導光手段）６３と、走査ミラー６２を駆動するアクチュエータ６４とを備えている。
レーザ光源６１は、面状に拡大された赤色レーザ光を射出する構成となっている。
走査ミラー６２は、レーザ光源２１Ａからの射出光を光路補正ミラー６３に向けて反射する構成となっている。
光路補正ミラー６３は、走査ミラー６２からの反射光をライトバルブ１６Ａの画像表示領域の全面に向けて反射させる構成となっている。
アクチュエータ６４は、例えばガルバノアクチュエータによって構成されており、走査ミラー６２による反射光が光路補正ミラー６３の反射面上を走査するように、走査ミラー６２を回転軸の軸回りで揺動させる構成となっている。
【００３８】
以上のような赤色光照明装置６０では、レーザ光源６１から射出した赤色レーザ光が走査ミラー６２及び光路補正ミラー６３により反射される。そして、光路補正ミラー６３から射出した赤色レーザ光は、ライトバルブ１６Ａの画像表示領域の全面を均一に照射する。
このとき、走査ミラー６２で反射された赤色レーザ光は、アクチュエータ６４により光路補正ミラー６３の反射面を周期的に走査する。これにより、光路補正ミラー６３で反射された赤色レーザ光のライトバルブ１６Ａに対する入射角が、図８に示すように、時間的に変化する。したがって、赤色レーザ光のスクリーン３に対する入射角が周期的に変化する。ここで、赤色レーザ光の入射位置が光路補正ミラー６３の反射面のいずれであっても、光路補正ミラー６３で反射された赤色レーザ光は、ライトバルブ１６Ａの画像表示領域の全面を均一に照射する。
【００３９】
以上のように、本実施形態における赤色光照明装置６０及びこれを備えるリアプロジェクタにおいても、上述した第１及び第２実施形態と同様の作用、効果を奏する。
【００４０】
なお、本発明は上記実施形態に限定されるものではなく、本発明の趣旨を逸脱しない範囲において種々の変更を加えることが可能である。
例えば、上記実施形態では、第１導光手段を構成する光ファイバや反射ミラーをアクチュエータによって駆動することにより、第２導光手段を構成する導光板やフィールドレンズ、光路補正ミラーに入射するレーザ光の入射角を時間的に変化させているが、第２導光手段への入射光の入射角を時間的に変化できれば、第２導光手段をアクチュエータなどの駆動手段によって駆動する構成や第１及び第２導光手段の双方を駆動する構成としてもよい。
また、第１導光手段の構成は、レーザ光源からの射出光を導光できれば、導光部材や反射ミラーに限られず、他の導光部材を用いてもよい。同様に、第２導光手段の構成は、第１導光手段からの射出光をライトバルブの画像表示領域に照射できれば、導光板やフィールドレンズ、光路補正ミラーに限られず、他の導光部材を用いてもよい。
そして、アクチュエータによりライトバルブへの入射光の入射角を６０Ｈｚの周波数で周期的に変化させているが、鑑賞者の眼の残像特性によって干渉縞のパターンが視認されなくなれば、他の周波数であってもよく、周期的に変化しない構成であってもよい。
さらに、アクチュエータによって光ファイバや反射ミラーを駆動しているが、他の部材により光ファイバや反射ミラーを駆動させてもよい。
【００４１】
また、レーザ光源は、複数のレーザ素子をアレイ状に配置した構成となっているが、１つのレーザ素子のみを備える構成としてもよい。
そして、光源としてレーザ光を射出するレーザ光源を用いているが、例えばＬＥＤ（Light Emitting Diode：発光ダイオード）素子から射出する光など、他の光源を用いてもよい。
さらに、光ヒューズは、所定値を超える光量に対して非透過性を有する材料によって構成されているが、光量が所定値を超えた時にライトバルブへの光の照射が防止されれば、他の構成であってもよい。
また、３つのレーザ光源を近接して配置して同一の冷却ユニットに接続しているが、それぞれ異なる冷却ユニットに接続されてもよい。
【００４２】
また、光変調手段として透過型の液晶装置であるライトバルブを用いているが、反射型の液晶装置や、デジタルマイクロミラーデバイス（Digital Micromirror Device）など、他の光変調手段を用いてもよい。
そして、プロジェクタとしては、リアプロジェクタに限らず、投射光学系を有して投射光学系からの投射光を別途設けたスクリーンに投影して反射光を観察するフロント投射型のプロジェクタなど、他のプロジェクタであってもよい。
【図面の簡単な説明】
【００４３】
【図１】第１の実施形態のリアプロジェクタを示す概略斜視図及び断面図である。
【図２】図１の投射光学系を示す概略構成図である。
【図３】図２の照明装置を示す概略斜視図である。
【図４】アクチュエータによる駆動状態を説明する説明図である。
【図５】第２の実施形態における照明装置を示す概略構成図である。
【図６】図５の概略斜視図である。
【図７】アクチュエータによる駆動状態を説明する説明図である。
【図８】第３の実施形態における照明装置を示す概略構成図である。
【図９】図８の概略斜視図である。
【図１０】シンチレーションの原理を示す説明図である。
【符号の説明】
【００４４】
１  リアプロジェクタ（プロジェクタ）、３  スクリーン（被投射部材）、１５Ａ，５０，６０  赤色光照明装置（照明装置）、１５Ｂ  緑色光照明装置（照明装置）、１５Ｃ  青色光照明装置（照明装置）、１６Ａ〜１６Ｃ  ライトバルブ（被照射部材，光変調手段）、２１Ａ〜２１Ｃ，６１  レーザ光源（光源）、２２  導光部材（第１導光手段）、２３  導光板（第２導光手段）、２４，６４  アクチュエータ（駆動手段）、２５  冷却ユニット、３３  光ヒューズ、５１  フィールドレンズ（第２導光手段）、６２  走査ミラー（第１導光手段）、６３  光路補正ミラー（第２導光手段）
【図１】
2008158190.tif 000003
【図２】
2008158190.tif 000004
【図３】
2008158190.tif 000005
【図４】
2008158190.tif 000006
【図５】
2008158190.tif 000007
【図６】
2008158190.tif 000008
【図７】
2008158190.tif 000009
【図８】
2008158190.tif 000010
【図９】
2008158190.tif 000011
【図１０】
2008158190.tif 000012